(57)【要約】【課題】当接部を温める機能を有しつつ、エネルギー消費を少なくできる美容器を提供する。【解決手段】把持して使用する美容器１０であって、肌に当てる当接部１２，１３と、前記美容器１０が使用者に接触している状態を検知する検知部１４と、前記検知部１４の検知結果に基づいて、前記美容器１０が使用者に接触していない状態では前記当接部１２，１３を第１目標温度にし、前記美容器１０が使用者に接触している状態では前記当接部１２，１３を前記第１目標温度より高い第２目標温度にする制御部１５と、を備えている。【選択図】図４
2020081692.tif 000002
【特許請求の範囲】
【請求項１】
把持して使用する美容器であって、
肌に当てる当接部と、
前記美容器が使用者に接触している状態を検知する検知部と、
前記検知部の検知結果に基づいて、前記美容器が使用者に接触していない状態では前記当接部を第１目標温度にし、前記美容器が使用者に接触している状態では前記当接部を前記第１目標温度より高い第２目標温度にする制御部と、
を備えている美容器。
【請求項２】
把持部を有し、
前記検知部が前記把持部に備えられている請求項１に記載の美容器。
【請求項３】
前記当接部が前記第１目標温度まで上昇する温度勾配より、前記当接部が前記第１目標温度から前記第２目標温度まで上昇する温度勾配が小さい請求項１又は請求項２に記載の美容器。
【請求項４】
前記把持部に手が接触し、かつ前記当接部に肌が接触すると、人体を介して閉回路ができ、前記当接部に微弱電流が流れるようになっており、
前記検知部は、前記閉回路の通電を検知し、
前記制御部は、前記検知部の前記閉回路の通電の検知により、前記当接部を前記第２目標温度に上昇させる請求項１ないし請求項３のいずれか一項に記載の美容器。
【発明の詳細な説明】
【技術分野】
【０００１】
本発明は、美容器に関する。
【背景技術】
【０００２】
従来、例えば下記特許文献１に記載されているように、手で把持して使用する美容器が知られている。この美容器は、肌に当てる当接部を備えている。使用者は、美容器を把持し、当接部を肌に当てて動かす。これにより、肌がマッサージされて活性化し、美容効果が得られる。
【先行技術文献】
【特許文献】
【０００３】
【特許文献１】特許第６２８２２７１号公報
【発明の概要】
【発明が解決しようとする課題】
【０００４】
ところで、上記のような美容器において、使用者にここちよさを提供するべく、当接部を温める機能を付加したいという要望がある。その際、エネルギー消費を少なくする工夫が望まれた。
【０００５】
本発明は上記のような事情に基づいて完成されたものであって、当接部を温める機能を有しつつ、エネルギー消費を少なくできる美容器を提供することを目的とする。
【課題を解決するための手段】
【０００６】
本発明の美容器は、把持して使用する美容器であって、肌に当てる当接部と、前記美容器が使用者に接触している状態を検知する検知部と、前記検知部の検知結果に基づいて、前記美容器が使用者に接触していない状態では前記当接部を第１目標温度にし、前記美容器が使用者に接触している状態では前記当接部を前記第１目標温度より高い第２目標温度にする制御部と、を備えている。
【０００７】
ここでいう、美容器が使用者に接触していない状態と、美容器が使用者に接触している状態とは、以下のようなパターンを含む。すなわち美容器が使用者に接触していない状態が、美容器が把持されていない状態であり、美容器が使用者に接触している状態が、美容器が把持されているけれども当接部が肌に当接していない状態であるパターンを含む。また、美容器が使用者に接触していない状態が、美容器が把持されていない状態、及び美容器が把持されているけれども当接部が肌に当接していない状態であり、美容器が使用者に接触している状態が、美容器が把持され、かつ当接部が肌に当接している状態であるパターンを含む。
【発明の効果】
【０００８】
本発明によれば、当接部は、美容器が使用者に接触していない状態では第１目標温度になり、美容器が使用者に接触している状態では、第１目標温度より高い第２目標温度になる。したがって、美容器を接触していない状態から接触している状態に至るまでの間、当接部が第２目標温度をキープし続ける場合に比してエネルギー消費を少なくできる。また、この当接部の温度変化が、美容器の使用を開始するまでの一連の動作の中で行われるので、使用者はスムーズに美容器の使用を開始できる。
【０００９】
また、美容器が使用者に接触していない状態で当接部を第１目標温度に昇温する場合、美容器を使用する際の冷たさを和らげることができる。
また、第２目標温度を施術に最適な温度とし、第１目標温度を第２目標温度に近い温度に設定することにより、第２目標温度になるまでの待ち時間を短縮し、使用者のストレスを軽減できる。
【００１０】
また、美容器の使用開始時に当接部を肌に当てたとき、使用者の肌温度と当接部の温度との差が大きい場合、使用者が不快を感じる虞がある。しかしながら、第１目標温度を使用者の肌温度より第２目標温度に近い温度に設定することにより、美容器の使用開始時の使用者の肌温度と当接部の温度との差を小さくでき、使用者が不快を感じにくくできる。
【図面の簡単な説明】
【００１１】
【図１】実施例１の美容器を示す正面図
【図２】美容器を示す分解斜視図
【図３】美容器の電気的構成を示すブロック図
【図４】美容器の第１モードの動作を示すフローチャート
【図５】美容器の第２モードの動作を示すフローチャート
【図６】美容器の第３モードの動作を示すフローチャート
【図７】実施例２の美容器の第１モードの動作を示すフローチャート
【図８】美容器の第２モードの動作を示すフローチャート
【図９】美容器の第３モードの動作を示すフローチャート
【発明を実施するための形態】
【００１２】
本発明の好ましい形態を以下に示す。
本発明の美容器は、把持部を有し、前記検知部が前記把持部に備えられてもよい。このような構成によれば、検知部を有する部分を把持部とは別に設けなくてよいから美容器を小型化できる。また、温められる当接部に検知部を設けた場合、検知部が誤作動する虞があるけれども、把持部に検知部を設けることにより、そのような誤作動を生じにくくできる。
【００１３】
また、本発明の美容器は、前記当接部が前記第１目標温度まで上昇する温度勾配より、前記当接部が前記第１目標温度から前記第２目標温度まで上昇する温度勾配が小さいものとしてもよい。このような構成によれば、当接部は第２目標温度までゆっくり上昇するから、当接部の加熱しすぎ（オーバーシュート）を防ぐことができる。なお、制御部によるこのような温度制御は、通常の使用環境下において達成される。
【００１４】
また、本発明の美容器は、前記把持部に手が接触し、かつ前記当接部に肌が接触すると、人体を介して閉回路ができ、前記当接部に微弱電流が流れるようになっており、前記検知部は、前記閉回路の通電を検知し、前記制御部は、前記検知部の前記閉回路の通電の検知により、前記当接部を前記第２目標温度に上昇させるものとしてもよい。このような構成によれば、当接部が肌に接触すると、当接部が第２目標温度まで上昇し始める。したがって、美容器を把持したけれども当接部が肌に接触していないときから、当接部が第２目標温度まで上昇し始める場合に比して、エネルギー消費をより少なくできる。また、当接部が肌に接触する当初から第２目標温度まで上昇している場合に比して肌への負担を小さくできる。
【００１５】
＜実施例１＞
以下、本発明を具体化した実施例１について、図１〜図６を参照しつつ詳細に説明する。
本実施例における美容器１０は、使用者が手で把持して使用するものであり、図１に示すように、全体として若干細長いハート形の扁平な形状をなしている。美容器１０は、無線充電機能を備え、図示しない充電器にセットすることで充電される。
【００１６】
美容器１０は、使用者が把持する把持部１１と、使用者の肌に当てる２つの当接部（以後、第１当接部１２及び第２当接部１３と称する）とを備えている。この美容器１０は、美容器１０が使用者に接触していない状態か接触している状態かを検知する検知部１４と、検知部１４の検知結果に基づいて、第１当接部１２及び第２当接部１３の温度を制御する制御部１５とを備えている（図３参照）。
【００１７】
美容器１０は３つの使用モードを有している。美容器１０のスイッチ部１６を操作して電源をオンすると、いずれの使用モードも第１当接部１２及び第２当接部１３が３０度以上になる。第１モードは、第１当接部１２に微弱電流を流し、温めるモードであり、第２モードは、第２当接部１３に微弱電流を流し、温めるモードであり、第３モードは、第１当接部１２及び第２当接部１３の両方に微弱電流を流さないモード、すなわち第１当接部１２及び第２当接部１３を温めるだけのモードである。第１モードの第１当接部１２の温度は、第２モードの第２当接部１３の温度より高い。また、第３モードの第１当接部１２及び第２当接部１３の温度は、第２モードの第２当接部１３の温度より高い。
【００１８】
把持部１１は、図２に示すように、回路基板１７等を内部に収容するインナケース１８と、インナケース１８の外面をカバーするアウタカバー１９とを備えている。把持部１１の外周面（図１における右側面）は、外側に湾曲した形状をなしている。これにより、把持部１１の外周面は掌にフィットしやすく、把持しやすいため、施術が行いやすい。また、使用者は、把持部１１の外周面が掌に沿う向きで把持部１１を把持するため、把持部１１の外表面のうち使用者の手指が接触する範囲を予め想定でき、後述するタッチプレート３７を適切な位置に配置できる。
【００１９】
インナケース１８は、互いに嵌め合わされる第１ケース１８Ｆ及び第２ケース１８Ｓを備えている。第１ケース１８Ｆと第２ケース１８Ｓとは、複数のネジＮ１０により嵌め合わされた状態に固定され、防水パッキン５７により密閉される。
【００２０】
インナケース１８には、無線充電される電源としての電池Ｅが収容されている。電池Ｅは、リチウムイオン充電池であり、電池Ｅの端子（図示せず）は回路基板１７に電気的に接続されている。
【００２１】
インナケース１８には、スイッチ部１６と、回路基板１７と、無線充電用の受信コイル５０と、第１当接部１２及び第２当接部１３と、複数の発光部２１，２２，２３，２４とが固定されている。
【００２２】
スイッチ部１６は、ネジＮ１２により第１ケース１８Ｆに固定されている。スイッチ部１６は、押し操作により電源のオン・オフや使用モードの切り替えを行う。スイッチ部１６は、制御部１５及び検知部１４を構成するマイコン等が搭載された回路基板１７に電気的に接続されている。
【００２３】
回路基板１７は、ネジＮ１１により第１ケース１８Ｆに固定されている。受信コイル５０は、第１ケース１８Ｆに取り付けられ、アウタカバー１９によって覆われ、シール部材５２により密閉されている。第１ケース１８Ｆには、美容器１０の無線充電を制御する制御装置５３が備えられている。
【００２４】
第１当接部１２及び第２当接部１３は、ネジＮ１４により第１ケース１８Ｆに固定されている。第１当接部１２及び第２当接部１３は、いずれもキャップ状をなし、金属製もしくは樹脂製であって全面に導電性めっき膜が形成されている。第１当接部１２のめっき膜及び第２当接部１３のめっき膜は、いずれもネジＮ１４を介して回路基板１７に電気的に接続されている。
【００２５】
第１当接部１２と第２当接部１３とは、湾曲形状が異なっている。
第１当接部１２は、図１に示すように、２つの湾曲した突部が並んだ形状をなしている。２つの突部は異なる曲率で湾曲し、２つの突部の間は凹んだ形状をなしている。
第２当接部１３は、図１における上下方向の中間部が右側に凹んだ弓形状をなしている。第２当接部１３は、第１当接部１２の突部より小さい曲率で人の頬のカーブに沿うように緩く湾曲している。
【００２６】
第１当接部１２及び第２当接部１３の湾曲形状が異なっていることにより、施術対象面の形状に合わせて、第１当接部１２又は第２当接部１３のいずれかフィットしやすい形状の当接部を選択して施術でき、施術効果を高めることができる。また、第１当接部１２と第２当接部１３とを形状の相違から容易に区別できるので、第１当接部１２または第２当接部１３のどちらが肌に接触しているかにより、使用モードを容易に判別できる。
【００２７】
第１当接部１２とインナケース１８との間には、第１当接部１２を温める第１発熱体３１と、第１当接部１２の温度を計測する第１温度センサ３２と、第１当接部１２を振動させる第１振動モータ３３とが備えられている。
【００２８】
インナケース１８のうち第１当接部１２が被せ付けられる部分は、図２に示すように、第１当接部１２の内面の形状に沿って湾曲している。これにより、第１発熱体３１を、第１当接部１２の内面に近接または接触した状態で配置でき、第１当接部１２を速やかに温めることができる。
【００２９】
第２当接部１３とインナケース１８との間には、第２当接部１３を温める第２発熱体３４と、第２当接部１３の温度を計測する第２温度センサ３５と、第２当接部１３を振動させる第２振動モータ３６とが備えられている。
【００３０】
インナケース１８のうち第２当接部１３が被せ付けられる部分は、図２に示すように、第２当接部１３の内面の形状に沿って湾曲している。これにより、第２発熱体３４を、第２当接部１３の内面に近接または接触した状態で配置でき、第２当接部１３を速やかに温めることができる。
【００３１】
第１発熱体３１及び第２発熱体３４は、いずれも面状をなす保温シート付きのフィルムヒータである。第１発熱体３１及び第２発熱体３４は、いずれも図示しないパッキンにより防水される。
【００３２】
第１温度センサ３２及び第２温度センサ３５は、例えばサーミスタであり、それぞれ第１当接部１２または第２当接部１３に接触または近接して配される。第１温度センサ３２及び第２温度センサ３５は、いずれもパッキン６１により防水される。
【００３３】
複数の発光部２１，２２，２３，２４は、図１に示すように、第１当接部１２と第２当接部１３との間を仕切る位置に配された第１発光部２１と、アウタカバー１９の表側に点灯する３つの発光部（以後、第２発光部２２、第３発光部２３及び第４発光部２４と称する。）とを備えている。第１発光部２１、第２発光部２２、第３発光部２３及び第４発光部２４は発光ダイオード（ＬＥＤ）よりなり、それぞれ回路基板１７に電気的に接続されている。第２発光部２２、第３発光部２３及び第４発光部２４を保持するホルダ５５は、ネジＮ１３により第２ケース１８Ｓに固定されている。
【００３４】
第１発光部２１は、美容器１０がどの使用モードであるか、などの美容器１０の状態を異なる態様（点滅、点灯、異なる色）で発光することによって示す。第２発光部２２は、美容器１０が第１モードであるときに点灯した状態を保ち、第３発光部２３は、美容器１０が第２モードであるときに点灯した状態を保ち、第４発光部２４は、美容器１０が第３モードであるときに点灯した状態を保つ。第１発光部２１、第２発光部２２、第３発光部２３及び第４発光部２４は、美容器１０の電源がオフのときには、すべてが消灯する。
【００３５】
アウタカバー１９は、図２に示すように、第１ケース１８Ｆを覆う第１カバー１９Ｆと、第２ケース１８Ｓを覆う第２カバー１９Ｓとを備えている。第１カバー１９Ｆと第２カバー１９Ｓとは、外周縁部に設けられた係止部５８，５９により、嵌め合わされた状態に保持される。
【００３６】
第２カバー１９Ｓには、タッチプレート３７が嵌め込まれる嵌合穴６２が貫通して形成されている。タッチプレート３７は、金属製もしくは樹脂製であって全面に導電性めっき膜が形成されている。タッチプレート３７が嵌合穴６２に嵌合した状態では、タッチプレート３７の裏面の図示しないコネクタ部が端子５４に接触した状態になる。端子５４は、第２ケース１８Ｓに取り付けられ、回路基板１７に電気的に接続されている。
【００３７】
美容器１０は、把持部１１に手が接触し、かつ第１当接部１２または第２当接部１３に肌が接触すると、人体を介して閉回路ができ、第１当接部１２または第２当接部１３に微弱電流が流れるようになっている。詳しくは、美容器１０の使用モードを第１モードに選択した状態で、手や指など人体の一部が把持部１１のタッチプレート３７に接触するとともに、頬など人体の他の部分が第１当接部１２に接触している状態では、タッチプレート３７と第１当接部１２との間に電位差が生じ、第１当接部１２とタッチパネルとの間に微弱電流が流れる。また、美容器１０の使用モードを第２モードに選択した状態で、手や指など人体の一部が把持部１１のタッチプレート３７に接触するとともに、頬など人体の他の部分が第２当接部１３に接触している状態では、タッチプレート３７と第２当接部１３との間に電位差が生じ、第２当接部１３とタッチパネルとの間に微弱電流が流れる。
【００３８】
なお、把持部１１から手が離れたり、第１当接部１２または第２当接部１３から肌が離れたりした場合、第１当接部１２、第２当接部１３に流れる微弱電流は停止する。
【００３９】
制御部１５には、図３に示すように、電池Ｅ、スイッチ部１６、第１発光部２１、第２発光部２２、第３発光部２３、第４発光部２４、検知部１４、タッチプレート３７、第１当接部１２、第１発熱体３１、第１温度センサ３２、第１振動モータ３３、第２当接部１３、第２発熱体３４、第２温度センサ３５及び第２振動モータ３６が接続されている。
【００４０】
制御部１５は、美容器１０の電源がオンされているときには、人体検知のために、タッチプレート３７と第１当接部１２、及びタッチプレート３７と第２当接部１３との間にパルス電流を供給する。検知用のパルス電流は連続ではなく、一定時間間隔で供給する。
【００４１】
検知部１４は、タッチプレート３７と第１当接部１２とが人体を介して繋がって電流が流れると、それを検知し、またタッチプレート３７と第２当接部１３とが人体を介して繋がって電流が流れると、それを検知する。これにより、検知部１４は、美容器１０が使用者に接触していない状態か接触している状態かを検知する。すなわち本実施例では、美容器１０が把持されていない状態と、美容器１０が把持されているけれども第１当接部１２、第２当接部１３が肌に当接していない状態とが、美容器１０が使用者に接触していない状態である。そして、美容器１０が把持され、かつ第１当接部１２または第２当接部１３が肌に当接している状態が、美容器１０が使用者に接触している状態である。
【００４２】
制御部１５は、検知部１４の検知結果と、選択されている使用モードと、第１温度センサ３２からの入力信号とに基づいて、第１当接部１２の温度を所定の温度にするべく、第１発熱体３１をオンオフ制御する。制御部１５は、検知部１４の検知結果と、選択されている使用モードと、第２温度センサ３５からの入力信号とに基づいて、第２当接部１３の温度を所定の温度にするべく、第２発熱体３４をオンオフ制御する。
【００４３】
制御部１５は、第１モード及び第３モードでは、以下のように第１発熱体３１及び第２発熱体３４を制御する。美容器１０が使用者に接触していない状態では、第１当接部１２または第２当接部１３が第１目標温度に上昇するように第１発熱体３１及び第２発熱体３４を制御する。美容器１０が使用者に接触している状態では、第１当接部１２または第２当接部１３が第１目標温度より高い第２目標温度に上昇するように、第１発熱体３１及び第２発熱体３４を制御する。このとき、制御部１５は、第１当接部１２または第２当接部１３が第１目標温度から第２目標温度まで上昇する温度勾配が、第１当接部１２または第２当接部１３が常温から第１目標温度まで上昇する温度勾配より小さくなるように制御する。
【００４４】
制御部１５は、第２モードでは、第２当接部１３の温度が一定になるように第２発熱体３４を制御する。
制御部１５は、第１モードでは、第１当接部１２に基本的に一方極性の電流（以後、第１電流と称する）が流れるようにし、第２モードでは、第２当接部１３に極性が交互に入れ替わる電流（以後、第２電流と称する）が流れるようにする。
【００４５】
制御部１５は、第１モードでは、第１振動モータ３３を駆動し、第２モードでは、第２振動モータ３６を駆動する。制御部１５は、タイマー機能（計時機能）を有している。
【００４６】
次に、本実施例の美容器１０の動作の一例を説明する。
まず、美容器１０の第１モードの動作の一例を図４のフローチャートを参照して説明する。
【００４７】
使用者がスイッチ部１６を操作して電源をオンすると（Ｓ１００）、制御部１５は、美容器１０の電源がオンされてからの経過時間を計測し始める。そして、使用者が第１モードを選択すると（Ｓ１０１）、制御部１５は、第１発熱体３１を加熱し、第１当接部１２を第１目標温度（本実施例では３８度）に昇温する（Ｓ１０２）。このとき、制御部１５は、仮に電源をオンする前の第１当接部１２の温度が１５度である場合に、第１当接部１２が約１分で第１目標温度に到達するように急速に第１発熱体３１を加熱する。また制御部１５は、フローチャートに記載していないけれども、第２発熱体３４を加熱し、第２当接部１３を第１目標温度より低い待機温度（本実施例では３０度）まで上昇させる。この間、制御部１５は、第１発光部２１をゆっくり白色で点滅させ、第２発光部２２を点灯し、第３発光部２３及び第４発光部２４を消灯した状態で維持する。
【００４８】
第１当接部１２が第１目標温度になると、制御部１５は、第１当接部１２を第１目標温度で維持し（Ｓ１０３）、美容器１０は待機状態になる。制御部１５は、第１当接部１２が第１目標温度以上になると加熱を停止し、第１目標温度以下になると加熱をして第１当接部１２を第１目標温度に保つ。制御部１５は、引き続き、第１発光部２１をゆっくり白色で点滅させ、第２発光部２２を点灯し、第３発光部２３及び第４発光部２４を消灯した状態で維持する。
【００４９】
制御部１５は、美容器１０の電源がオンされてからの経過時間が所定時間（本実施例では５分）を超えると（Ｓ１０４：Ｙｅｓ）、電源を自動的にオフする（Ｓ１０８）。制御部１５は、すべての発光部２１，２２，２３，２４を消灯するとともに、第１発熱体３１及び第２発熱体３４の加熱を停止する。これにより、美容器１０の電源がオンされた状態で所定時間以上放置される事態を防ぐことができ、無駄なエネルギーの消費を防ぐことができる。
【００５０】
使用者が使用を開始しない、すなわち待機状態の美容器１０が把持されずに放置されたまま、もしくは、待機状態の美容器１０が把持されたけれども第１当接部１２が肌に当てられないままで肌検知されない場合（Ｓ１０５：Ｎｏ）、制御部１５は、第１当接部１２の温度を第１目標温度で維持する。
【００５１】
美容器１０の電源がオンになってから所定時間を経過しないうちに（Ｓ１０４：Ｎｏ）、使用者が、待機状態の美容器１０を把持して第１当接部１２を肌に当てると、第１当接部１２に電流が流れて検知部１４がそれを検知し（Ｓ１０５：Ｙｅｓ）、制御部１５は、第１モードの動作を開始する（Ｓ１０６）。ここで、使用者が第１当接部１２を肌に当てたときには、第１当接部１２は第１目標温度になっている。本実施例の第１目標温度は、人の体温と同等の３８度であるため、第１当接部１２を肌に当てたときの冷たさを解消できる。また、制御部１５は、美容器１０の電源がオンされたときに開始したタイマーをリセットし、代わりに第１当接部１２が肌に当てられてからの経過時間を計測し始める。
【００５２】
第１モードの動作が開始されると、制御部１５は、第１発熱体３１を加熱して第１当接部１２を第２目標温度（本実施例では４１度）に昇温する。このとき、制御部１５は、第１当接部１２を第１目標温度に昇温する速度より遅い速度で、第１当接部１２を第１目標温度から第２目標温度に昇温する。これにより、使用者の肌にかかるストレスを小さくできる。また、温度を急速に上昇させると、第１発熱体３１が過度に上昇するいわゆるオーバーシュートが生じる虞があるところ、そのような温度の過度の上昇を防ぐことができる。制御部１５は、第１当接部１２に第１電流を流し、第１振動モータ３３を駆動する。使用者は、第１振動モータ３３の振動により、第１モードが動作していることを感知する。制御部１５は、第２当接部１３を待機温度に保ち、引き続き、第１発光部２１をゆっくり白色で点滅させ、第２発光部２２を点灯し、第３発光部２３及び第４発光部２４を消灯した状態に維持する。
【００５３】
制御部１５は、第１当接部１２が肌に当てられてからの経過時間が所定時間（本実施例では５分）を超えると（Ｓ１０７：Ｙｅｓ）、電源を自動的にオフする（Ｓ１０８）。制御部１５は、すべての発光部２１，２２，２３，２４を消灯するとともに、第１発熱体３１及び第２発熱体３４の加熱を停止する。制御部１５は、第１当接部１２が肌に当てられてからの経過時間が所定時間を経過しないうちは、第１モードの動作を維持する（Ｓ１０７：Ｎｏ）。
【００５４】
次に、美容器１０の第２モードの動作の一例を図５のフローチャートを参照して説明する。
使用者がスイッチ部１６を操作して、電源をオンすると（Ｓ２００）、制御部１５は、美容器１０の電源がオンされてからの経過時間を計測し始める。そして、使用者が第２モードを選択すると（Ｓ２０１）、制御部１５は、第２発熱体３４を加熱し、第２当接部１３を所定の施術温度（本実施例では３０度）に昇温する（Ｓ２０２）。第２モード（第２当接部１３に第２電流を流すモード）の施術温度は、第１モード（第１当接部１２に第１電流を流すモード）に適した施術温度（４１度）より若干低い温度とされている。また制御部１５は、フローチャートに記載していないけれども、第１発熱体３１を加熱して第１当接部１２を待機温度（３０度）まで上昇させる。この第１当接部１２の待機温度は、第１モードの第２当接部１３の待機温度と同じ温度である。この間、制御部１５は、第１発光部２１をゆっくり青色で点滅させ、第３発光部２３を点灯し、第２発光部２２及び第４発光部２４を消灯する。
【００５５】
第２当接部１３が所定の施術温度に昇温すると、制御部１５は、第２当接部１３を所定の施術温度で維持し（Ｓ２０３）、美容器１０は待機状態になる。制御部１５は、第２当接部１３が所定の施術温度以上になると加熱を停止し、所定の施術温度以下になると加熱をして第２当接部１３を施術温度に保つ。制御部１５は、引き続き第１発光部２１をゆっくり青色で点滅させ、第３発光部２３を点灯し、第２発光部２２及び第４発光部２４を消灯した状態に維持する。また、制御部１５は、美容器１０の電源がオンされてからの経過時間が所定時間（本実施例では５分）を超えると（Ｓ２０４：Ｙｅｓ）、電源を自動的にオフする（Ｓ２０８）。制御部１５は、すべての発光部２１，２２，２３，２４を消灯するとともに、第１発熱体３１及び第２発熱体３４の加熱を停止する。これにより、第１モードと同様、美容器１０の電源がオンされた状態で所定時間以上放置される事態を防ぐことができ、無駄なエネルギーの消費を防ぐことができる。
【００５６】
使用者が使用を開始しない、すなわち待機状態の美容器１０が把持されずに放置されたまま、もしくは、待機状態の美容器１０が把持されたけれども第２当接部１３が肌に当てられないままで肌検知されない場合（Ｓ２０５：Ｎｏ）、制御部１５は、第２当接部１３を施術温度で維持する。
【００５７】
美容器１０の電源がオンになってから所定時間を経過しないうちに（Ｓ２０４：Ｎｏ）、使用者が、待機状態の美容器１０を把持して第２当接部１３を肌に当てると、第２当接部１３に電流が流れて検知部１４がそれを検知し（Ｓ２０５：Ｙｅｓ）、制御部１５は、第２モードの動作を開始する（Ｓ２０６）。また、制御部１５は、美容器１０の電源がオンされたときに開始したタイマーをリセットし、代わりに第２当接部１３が肌に当てられてからの経過時間を計測し始める。制御部１５は、第２当接部１３の温度を所定の施術温度に保ったまま第２当接部１３に第２電流を流し、第２振動モータ３６を駆動する。使用者は、第２振動モータ３６の振動により、第２モードが動作していることを感知する。この間、制御部１５は、第１当接部１２の温度を待機温度に保ち、第１発光部２１を青色で点灯し、第３発光部２３を点灯し、第２発光部２２及び第４発光部２４を消灯した状態に維持する。
【００５８】
制御部１５は、第２当接部１３が肌に当てられてからの経過時間が所定時間（本実施例では５分）を超えると（Ｓ２０７：Ｙｅｓ）、制御部１５は電源を自動的にオフする（Ｓ２０８）。また制御部１５は、すべての発光部２１，２２，２３，２４を消灯し、第１発熱体３１及び第２発熱体３４の加熱を停止する。制御部１５は、第２当接部１３が肌に当てられてからの経過時間が所定時間を経過しないうちは、第２モードの動作を維持する（Ｓ２０７：Ｎｏ）。
【００５９】
次に、美容器１０の第３モードの動作の一例を図６のフローチャートを参照して説明する。
使用者がスイッチ部１６を操作して、電源をオンすると（Ｓ３００）、制御部１５は、美容器１０の電源がオンされてからの経過時間を計測し始める。そして、使用者が第３モードを選択する（Ｓ３０１）と、制御部１５は、第１発熱体３１及び第２発熱体３４を加熱し、第１当接部１２及び第２当接部１３を第１目標温度（３８度）に昇温する（Ｓ３０２）。この間、制御部１５は、第１発光部２１をゆっくり赤色で点滅させ、第４発光部２４を点灯し、第１発光部２１及び第２発光部２２を消灯した状態にする。
【００６０】
第１当接部１２及び第２当接部１３が第１目標温度になると、制御部１５は、第１当接部１２及び第２当接部１３を第１目標温度で維持し（Ｓ３０３）、美容器１０は待機状態になる。制御部１５は、第１当接部１２及び第２当接部１３が第１目標温度以上になると加熱を停止し、第１目標温度以下になると加熱をして第１当接部１２及び第２当接部１３を第１目標温度に保つ。制御部１５は、第１発光部２１を赤色で点灯し、第４発光部２４を点灯し、第２発光部２２及び第３発光部２３を消灯した状態にする。また、制御部１５は、美容器１０の電源がオンされてからの経過時間が所定時間（本実施例では５分）を超えると（Ｓ３０４：Ｙｅｓ）、電源を自動的にオフする（Ｓ３１０）。制御部１５は、すべての発光部２１，２２，２３，２４を消灯するとともに、第１発熱体３１及び第２発熱体３４の加熱を停止する。これにより、第１モード及び第２モードと同様、美容器１０の電源がオンされた状態で所定時間以上放置される事態を防ぐことができ、無駄なエネルギーの消費を防ぐことができる。
【００６１】
使用者が使用を開始しない、すなわち待機状態の美容器１０が把持されずに放置されたまま、もしくは、待機状態の美容器１０が把持されたけれども第１当接部１２または第２当接部１３がいずれも肌に当てられないままで肌検知されない場合（Ｓ３０５：Ｎｏ）、制御部１５は、第１当接部１２及び第２当接部１３を第１目標温度で維持する。
【００６２】
美容器１０の電源がオンになってから所定時間を経過しないうちに（Ｓ３０４：Ｎｏ）、使用者が、待機状態の美容器１０を把持して第１当接部１２または第２当接部１３を肌に当てると、第１当接部１２を肌に当てた場合は第１当接部１２に検知信号が流れて検知部１４がそれを検知し（Ｓ３０５：Ｙｅｓ、Ｓ３０６：Ｙｅｓ）、制御部１５は、第１ホットモードの動作を開始する（Ｓ３０７）。また、制御部１５は、美容器１０の電源がオンされたときに開始したタイマーをリセットし、代わりに第１当接部１２が肌に当てられてからの経過時間を計測し始める。制御部１５は、第１当接部１２を第２目標温度（４１度）に昇温し、第２当接部１３を第１目標温度に保つ。制御部１５は、引き続き第１発光部２１を赤色で点灯し、第４発光部２４を点灯し、第２発光部２２及び第３発光部２３を消灯した状態に維持する。
【００６３】
使用者が第２当接部１３を肌に当てた場合は第２当接部１３に電流が流れて検知部１４がそれを検知し（Ｓ３０５：Ｙｅｓ、Ｓ３０６：Ｎｏ）、制御部１５は、第２ホットモードの動作を開始する（Ｓ３０８）。また、制御部１５は、美容器１０の電源がオンされたときに開始したタイマーをリセットし、代わりに第２当接部１３が肌に当てられてからの経過時間を計測し始める。制御部１５は、第２当接部１３を第２目標温度（４１度）にし、第１当接部１２を第１目標温度に保つ。制御部１５は、引き続き第１発光部２１を赤色で点灯し、第４発光部２４を点灯し、第２発光部２２及び第３発光部２３を消灯した状態に維持する。
【００６４】
制御部１５は、第１当接部１２又は第２当接部１３が肌に当てられてからの経過時間が所定時間（本実施例では５分）を超えると（Ｓ３０９：Ｙｅｓ）、電源を自動的にオフする（Ｓ３１０）。制御部１５は、すべての発光部２１，２２，２３，２４を消灯し、第１発熱体３１及び第２発熱体３４の加熱を停止する。制御部１５は、第１当接部１２又は第２当接部１３が肌に当てられてからの経過時間が所定時間を経過しないうちは、第３モードの動作を維持する（Ｓ３０９：Ｎｏ）。
【００６５】
なお、本実施例の美容器１０は、使用モードの途中で他の使用モードに変えることができる。
例えば、第１モードの待機状態で美容器１０のスイッチ部１６を操作して第２モードに切り替えた場合、使用者は第２当接部１３が温まるのを待たずに使用を開始できる。なぜなら、第１モードの待機状態において第２当接部１３は待機温度（３０度）になっており、この待機温度は、第２モードの施術温度と同じ温度だからである。
【００６６】
また例えば、第３モードの待機状態で美容器１０のスイッチ部１６を操作して第２モードに切り替えた場合、第３モードの待機状態において第２当接部１３は第１目標温度（３８度）になっている。この第１目標温度は、第２目標温度（４１度）より低く、第２モードの施術温度（３０度）に近い温度である。したがって、第２当接部１３を第２目標温度から第２モードの施術温度に下げる場合に比して短い時間で第２モードの施術温度まで下げることができる。
【００６７】
なお、使用モードの途中で他の使用モードに変えられた場合、他の使用モードが選択されたと同時に制御部１５はタイマーをリセットし、代わりに他のモードが選択されたときからの経過時間を計測し始める。
【００６８】
次に、上記のように構成された実施例の作用および効果について説明する。
本実施例の美容器１０は、把持して使用する美容器１０であって、肌に当てる第１当接部１２及び第２当接部１３と、美容器１０が使用者に接触していない状態か接触している状態かを検知する検知部１４と、検知部１４の検知結果に基づいて、美容器１０が使用者に接触していない状態では第１当接部１２又は第２当接部１３を第１目標温度にし、美容器１０が使用者に接触している状態では第１当接部１２又は第２当接部１３を第１目標温度より高い第２目標温度にする制御部１５と、を備えている。この構成によれば、第１当接部１２又は第２当接部１３は、美容器１０が使用者に接触していない状態では第１目標温度になり、美容器１０が使用者に接触している状態では、第１目標温度より高い第２目標温度になる。したがって、美容器１０を接触していない状態から接触している状態に至るまでの間、第１当接部１２又は第２当接部１３が第２目標温度をキープし続ける場合に比してエネルギー消費を少なくできる。また、この第１当接部１２又は第２当接部１３の温度変化が、美容器１０の使用を開始するまでの一連の動作の中で行われるので、使用者はスムーズに美容器１０の使用を開始できる。
【００６９】
また、美容器１０が使用者に接触していない状態で第１当接部１２及び第２当接部１３を第１目標温度に昇温するから、美容器１０を使用する際の冷たさを和らげることができる。
【００７０】
また、第２目標温度を施術に最適な温度とし、第１目標温度を第２目標温度に近い温度に設定することにより、第２目標温度になるまでの待ち時間を短縮し、使用者のストレスを軽減できる。
【００７１】
また、美容器１０の使用開始時に第１当接部１２又は第２当接部１３を肌に当てたとき、使用者の肌温度と当接部の温度との差が大きい場合、使用者が不快を感じる虞がある。しかしながら、第１目標温度を使用者の肌温度より第２目標温度に近い温度に設定することにより、美容器１０の使用開始時の使用者の肌温度と第１当接部１２又は第２当接部１３の温度との差を小さくでき、使用者が不快を感じにくくできる。
【００７２】
また、本実施例の美容器１０は、把持部１１を有し、検知部１４が把持部１１に備えられている。この構成によれば、検知部１４を有する部分を把持部１１とは別に設けなくてよいから美容器１０を小型化できる。また、温められる第１当接部１２又は第２当接部１３に検知部１４を設けた場合、検知部１４が誤作動する虞があるけれども、把持部１１に検知部１４を設けることにより、そのような誤作動を生じにくくできる。
【００７３】
また、本実施例の美容器１０は、第１当接部１２又は第２当接部１３が第１目標温度まで上昇する温度勾配より、第１当接部１２又は第２当接部１３が第１目標温度から第２目標温度まで上昇する温度勾配が小さい。この構成によれば、第１当接部１２又は第２当接部１３は第２目標温度までゆっくり上昇するから、第１当接部１２又は第２当接部１３の加熱しすぎ（オーバーシュート）を防ぐことができる。
【００７４】
また、本実施例の美容器１０は、把持部１１に手が接触し、かつ第１当接部１２又は第２当接部１３に肌が接触すると、人体を介して閉回路ができ、第１当接部１２又は第２当接部１３に微弱電流が流れるようになっており、検知部１４は、閉回路の通電を検知し、制御部１５は、検知部１４の閉回路の通電の検知により、第１当接部１２又は第２当接部１３を第２目標温度に上昇させる。この構成によれば、第１当接部１２又は第２当接部１３が肌に接触すると、第１当接部１２又は第２当接部１３が第２目標温度まで上昇し始める。したがって、美容器１０を把持したけれども第１当接部１２又は第２当接部１３が肌に接触していないときから、第１当接部１２又は第２当接部１３が第２目標温度まで上昇し始める場合に比して、エネルギー消費をより少なくできる。また、第１当接部１２又は第２当接部１３が肌に接触する当初から第２目標温度まで上昇している場合に比して肌への負担を小さくできる。
【００７５】
＜実施例２＞
次に、本発明を具体化した実施例２に係る美容器を図７〜図９によって説明する。
本実施例の美容器は、制御部が経過時間の計測を開始するタイミングが、実施例１とは相違する。なお、実施例１と同様の構成には同一符号を付して重複する説明を省略する。
【００７６】
本実施例に係る美容器１０は、実施例１と同様に、把持部１１と、第１当接部１２及び第２当接部１３と、美容器１０が使用者に接触していない状態か接触している状態かを検知する検知部１４と、検知部１４の検知結果に基づいて、第１当接部１２及び第２当接部１３の温度を制御する制御部１５とを備えている。また、美容器１０は、実施例１と同様、３つの使用モードを有している。
【００７７】
まず、美容器１０の第１モードの動作の一例を図７のフローチャートを参照して説明する。
使用者がスイッチ部１６を操作して電源をオンし（Ｓ４００）、第１モードを選択すると（Ｓ４０１）、制御部１５は、第１発熱体３１を加熱し、第１当接部１２を第１目標温度（本実施例では３８度）に昇温する（Ｓ４０２）。また制御部１５は、フローチャートに記載していないけれども、第２発熱体３４を加熱し、第２当接部１３を第１目標温度より低い待機温度（本実施例では３０度）まで上昇させる。
【００７８】
第１当接部１２が第１目標温度になると、制御部１５は、第１当接部１２を第１目標温度で維持し（Ｓ４０３）、美容器１０は待機状態になる。また、制御部１５は、美容器１０が待機状態になってからの経過時間を計測し始める。
【００７９】
使用者が、待機状態の美容器１０を把持して第１当接部１２を肌に当てると、第１当接部１２に電流が流れて検知部１４がそれを検知し（Ｓ４０４：Ｙｅｓ）、制御部１５は、第１モードの動作を開始する（Ｓ４０５）。
【００８０】
第１モードの動作が開始されると、制御部１５は、第１発熱体３１を加熱して第１当接部１２を第２目標温度（本実施例では４１度）に昇温する。このとき、制御部１５は、実施例１と同様、第１当接部１２を第１目標温度に昇温する速度より遅い速度で、第１当接部１２を第１目標温度から第２目標温度に昇温する。制御部１５は、第１当接部１２に第１電流を流し、第１振動モータ３３を駆動する。
【００８１】
使用者が使用を開始しない、すなわち待機状態の美容器１０が把持されずに放置されたまま、もしくは、待機状態の美容器１０が把持されたけれども第１当接部１２が肌に当てられないままで肌検知されない場合（Ｓ４０４：Ｎｏ）、制御部１５は、第１当接部１２の温度を第１目標温度で維持する。この待機状態は、美容器１０が待機状態になってからの経過時間が、所定時間（本実施例では５分）を超えないうちは維持される（Ｓ４０６：Ｎｏ）。一方、美容器１０が待機状態になってからの経過時間が所定時間を超えると（Ｓ４０６：Ｙｅｓ）、制御部１５は電源を自動的にオフする（Ｓ４０７）。
【００８２】
次に、美容器１０の第２モードの動作の一例を図８のフローチャートを参照して説明する。
使用者がスイッチ部１６を操作して、電源をオンし（Ｓ５００）、第２モードを選択すると（Ｓ５０１）、制御部１５は、第２発熱体３４を加熱し、第２当接部１３を所定の施術温度（本実施例では３０度）に昇温する（Ｓ５０２）。また制御部１５は、フローチャートに記載していないけれども、第１発熱体３１を加熱して第１当接部１２を待機温度（３０度）まで上昇させる。
【００８３】
第２当接部１３が所定の施術温度に昇温すると、制御部１５は、第２当接部１３を所定の施術温度で維持し（Ｓ５０３）、美容器１０は待機状態になる。また、制御部１５は、美容器１０が待機状態になってからの経過時間を計測し始める。
【００８４】
使用者が、待機状態の美容器１０を把持して第２当接部１３を肌に当てると、第２当接部１３に電流が流れて検知部１４がそれを検知し（Ｓ５０４：Ｙｅｓ）、制御部１５は、第２モードの動作を開始する（Ｓ５０５）。制御部１５は、第２当接部１３の温度を所定の施術温度に保ったまま第２当接部１３に第２電流を流し、第２振動モータ３６を駆動する。
【００８５】
使用者が使用を開始しない、すなわち待機状態の美容器１０が把持されずに放置されたまま、もしくは、待機状態の美容器１０が把持されたけれども第２当接部１３が肌に当てられないままで肌検知されない場合（Ｓ５０４：Ｎｏ）、制御部１５は、第２当接部１３を施術温度で維持する。この美容器１０の待機状態は、美容器１０が待機状態になってからの経過時間が、所定時間（本実施例では５分）を超えないうちは維持される（Ｓ５０６：Ｎｏ）。一方、美容器１０が待機状態になってからの経過時間が所定時間を超えると（Ｓ５０６：Ｙｅｓ）、制御部１５は電源を自動的にオフする（Ｓ５０７）。
【００８６】
次に、美容器１０の第３モードの動作の一例を図９のフローチャートを参照して説明する。
使用者がスイッチ部１６を操作して、電源をオンし（Ｓ６００）、第３モードを選択する（Ｓ６０１）と、制御部１５は、第１発熱体３１及び第２発熱体３４を加熱し、第１当接部１２及び第２当接部１３を第１目標温度（３８度）に昇温する（Ｓ６０２）。
【００８７】
第１当接部１２及び第２当接部１３が第１目標温度になると、制御部１５は、第１当接部１２及び第２当接部１３を第１目標温度で維持し（Ｓ６０３）、美容器１０は待機状態になる。また、制御部１５は、美容器１０が待機状態になってからの経過時間を計測し始める。
【００８８】
使用者が、待機状態の美容器１０を把持して第１当接部１２または第２当接部１３を肌に当てると、第１当接部１２を肌に当てた場合は第１当接部１２に検知信号が流れて検知部１４がそれを検知し（Ｓ６０４：Ｙｅｓ、Ｓ６０５：Ｙｅｓ）、制御部１５は、第１ホットモードの動作を開始する（Ｓ６０６）。制御部１５は、第１当接部１２を第２目標温度（４１度）に昇温し、第２当接部１３を第１目標温度に保つ。
【００８９】
使用者が第２当接部１３を肌に当てた場合は第２当接部１３に電流が流れて検知部１４がそれを検知し（Ｓ６０４：Ｙｅｓ、Ｓ６０５：Ｎｏ）、制御部１５は、第２ホットモードの動作を開始する（Ｓ６０７）。制御部１５は、第２当接部１３を第２目標温度（４１度）にし、第１当接部１２を第１目標温度に保つ。
【００９０】
使用者が使用を開始しない、すなわち待機状態の美容器１０が把持されずに放置されたまま、もしくは、待機状態の美容器１０が把持されたけれども第１当接部１２または第２当接部１３がいずれも肌に当てられないままで肌検知されない場合（Ｓ６０４：Ｎｏ）、その待機状態が所定時間（本実施例では５分）内であれば、制御部１５は、第１当接部１２及び第２当接部１３を第１目標温度で維持する（Ｓ６０８：Ｎｏ）。一方、美容器１０の待機状態が所定時間を経過すると（Ｓ６０８：Ｙｅｓ）、制御部１５は電源を自動的にオフする（Ｓ６０９）。
【００９１】
以上のように本実施例においては、実施例１と同様、第１当接部１２又は第２当接部１３は、美容器１０が使用者に接触していない状態では第１目標温度になり、美容器１０が使用者に接触している状態では、第１目標温度より高い第２目標温度になるから、美容器１０を接触していない状態から接触している状態に至るまでの間、第１当接部１２又は第２当接部１３が第２目標温度をキープし続ける場合に比してエネルギー消費を少なくできる。また、この第１当接部１２又は第２当接部１３の温度変化が、美容器１０の使用を開始するまでの一連の動作の中で行われるので、使用者はスムーズに美容器１０の使用を開始できる。
【００９２】
本発明は上記記述及び図面によって説明した実施例に限定されるものではなく、例えば次のように変更できる。
（１）上記実施例では、複数の発光部２１，２２，２３，２４の発光の仕方を例示したが、発光部の発光の仕方は任意に変更できる。
（２）上記実施例では、美容器１０が２つの当接部を有しているが、これに限らず、美容器１０は一つの当接部のみ、または３つ以上の当接部を有していてもよい。
（３）上記実施例では、美容器１０が３つの使用モードを有している場合を例示したが、美容器１０の使用モードは１つであってもよいし、４つ以上あってもよい。
（４）上記実施例では、美容器１０が把持され、かつ第１当接部１２または第２当接部１３が肌に当接している状態が、美容器１０が使用者に接触している状態であるが、これに限らず、第１当接部１２及び第２当接部１３が肌に当接していなくても美容器１０が把持されている状態を、美容器１０が使用者に接触している状態とすることができる。この場合、検知部は、例えば、美容器を持ち上げた動きを検知する加速度センサ、美容器を把持したことを検知する押圧センサ、手の温度を検知する温度センサ、手によって光を遮断したことを検知する光センサ（フォトセンサ）、手の静脈を読み取る静脈認証センサ（赤外線光＋赤外線センサ）等とすることができる。
（５）上記実施例では、第２目標温度が第１目標温度より高い場合を例示したが、これに限らず、第２目標温度を第１目標温度より低くできる。具体的には、例えば、第１目標温度を２０度、第２目標温度を１０度としたり、第１目標温度を３８度、第２目標温度を３０度としたりできる。このような場合、例えばペルチェ素子等の熱電素子を用いた冷却装置など、当接部を冷却するように構成された冷却装置を使用して、第２目標温度を第１目標温度より低くできる。これにより、美容器を用いて冷却マッサージができる。
【符号の説明】
【００９３】
１０…美容器
１１…把持部
１２…第１当接部
１３…第２当接部
１４…検知部
１５…制御部
【図１】
2020081692.tif 000003
【図２】
2020081692.tif 000004
【図３】
2020081692.tif 000005
【図４】
2020081692.tif 000006
【図５】
2020081692.tif 000007
【図６】
2020081692.tif 000008
【図７】
2020081692.tif 000009
【図８】
2020081692.tif 000010
【図９】
2020081692.tif 000011